(57)【要約】【課題】  チャプタの間隔のバラツキを抑制する。【解決手段】  ハードディスクレコーダ１０は、アンテナ６０と、記録ヘッド４６と、制御部３６とを含む。アンテナ６０は、放送信号を受信する。記録ヘッド４６は、放送信号とチャプタを表わす情報とを記録媒体に記録する。制御部３６は、アンテナ６０が受信中の放送信号が、ステレオ放送の信号からモノラル放送の信号へ変わったか否かを判断し、アンテナ６０が受信中の放送信号が、ステレオ放送の信号からモノラル放送の信号へ変わると、チャプタを表わす情報を記録するように、記録ヘッド４６を制御し、アンテナ６０が放送信号を受信した期間の、記録媒体へ最後にチャプタを表わす情報を記録した時からの長さが所定の長さになると、チャプタを表わす情報を記録するように、記録ヘッド４６を制御する。【選択図】        図１
2006294192.tif 000002
【特許請求の範囲】
【請求項１】
放送信号を受信するための受信手段と、
前記放送信号と前記放送信号を受信した期間の境界を表わす情報とを記録媒体に記録するための記録手段と、
前記受信手段が受信中の放送信号が、音声多重放送の信号から前記音声多重放送以外の放送の信号へ変わったか否かを判断するための判断手段と、
前記受信手段が受信中の放送信号が、前記音声多重放送の信号から音声多重放送以外の放送の信号へ変わると、前記受信手段が音声多重放送の信号を受信した期間と前記受信手段が音声多重放送以外の放送の信号を受信した期間との境界を表わす情報を記録するように、前記記録手段を制御するための第１の制御手段と、
前記受信手段が放送信号を受信した期間の、前記記録媒体へ最後に前記境界を表わす情報を記録した時からの長さが所定の長さになると、前記境界を表わす情報を記録するように、前記記録手段を制御するための第２の制御手段とを含む記録装置。
【請求項２】
放送信号を受信するための受信手段と、
前記放送信号と前記放送信号を受信した期間の境界を表わす情報とを記録媒体に記録するための記録手段と、
前記受信手段が受信中の放送信号が、音声多重放送の信号から前記音声多重放送以外の放送の信号へ変わったか否かを判断するための判断手段と、
前記受信手段が受信中の放送信号が、前記音声多重放送の信号から音声多重放送以外の放送の信号へ変わると、前記記録媒体へ、複数の前記境界を表わす情報を所定の規則に従って記録するように、前記記録手段を制御するための手段とを含む、記録装置。
【請求項３】
前記記録手段を制御するための手段は、
前記受信手段が受信中の放送信号が、前記音声多重放送の信号から音声多重放送以外の放送の信号へ変わると、前記受信手段が音声多重放送の信号を受信した期間と前記受信手段が音声多重放送以外の放送の信号を受信した期間との境界を表わす情報を記録するように、前記記録手段を制御するための第１の制御手段と、
前記記録媒体へ最後に前記境界を表わす情報を記録した時を起点とする、前記受信手段が放送信号を受信した期間の長さが、所定の規則に従う長さになると、前記境界を表わす情報を記録するように、前記記録手段を制御するための第２の制御手段とを含む、請求項２に記載の記録装置。
【請求項４】
前記所定の規則は、長さが一定という規則を含む、請求項３に記載の記録装置。
【発明の詳細な説明】
【技術分野】
【０００１】
本発明は、記録装置に関し、特に、テレビジョン信号などに索引となる信号を付加して記録する記録装置に関する。
【背景技術】
【０００２】
特許文献１は、ビデオテープから音声信号および映像信号を読出すテープ再生部と、テープ再生部で読出した音声信号の種別を判定する音声判定ユニットと、音声判定ユニットで判定された音声種別を入力し、音声種別が切替わったときに音声の変更情報を生成するシステム制御ユニットと、光ディスクに書込むための映像および音声デジタルデータに変更情報を付加して編集データを生成するデジタル信号記録処理ユニットと、デジタル信号記録処理ユニットで生成された編集データを光ディスクに書込む光ディスクユニットとを備えることを特徴とするビデオ／光ディスク一体型記録再生装置を開示する。
【０００３】
特許文献１に開示された発明によると、ビデオから光ディスクにダビング記録を行なう際に、番組やＣＭ（Commercial Message）毎にわずらわしい操作を行なうことなく、自動的に番組毎およびＣＭ毎に区切りのデータが記録されるようにすることにより、ダビング後の不用なＣＭや番組の消去、移動等の編集作業を容易に行なうことができる。
【０００４】
特許文献２は、入力されるビデオデータの属性変化を検出する検出部と、ビデオデータを記録媒体に記録する格納部と、格納部に記録されたビデオデータの属性変化の検出位置を示す再生制御情報を生成し、再生制御情報を記録媒体に記録するよう格納部を制御するシステム制御部とを備えることを特徴とするビデオデータ記録装置を開示する。
【０００５】
特許文献２に開示された発明によると、ＣＭカット、および著作権保護機能などにおいて、余分な音声、及び映像を再生時に再生しないようにし、しかもその処理負荷を小さくすることができる。
【０００６】
特許文献３は、記録媒体上の所定のアドレスに対して映像音声信号を記録するようにした記録装置において、第１の信号区間を検出するＣＭ検出ブロックと、第１の信号区間以前の第２の信号区間の特徴と、第１の信号区間以降の第３の信号区間の特徴とを検出し、第２の信号区間の特徴と第３の信号区間の特徴とを比較し、比較結果に基づき第２の信号区間と第３の信号区間との間で繰返されている区間を検出する繰り返し区間検出ブロックと、繰り返し区間検出ブロックにより検出された繰り返し区間の情報を記録媒体に記録する記録再生ブロックとを有することを特徴とする記録装置を開示する。
【０００７】
特許文献３に開示された発明によると、ＣＭカットの際にユーザに違和感を与えないようにすることができる。
【特許文献１】特開２００４−１８５７２９号公報
【特許文献２】特開２００２−８４４９７号公報
【特許文献３】特開２０００−５７７４９公報
【発明の開示】
【発明が解決しようとする課題】
【０００８】
しかしながら、特許文献１〜特許文献３に開示された発明では、いずれもチャプタの間隔について、何ら考慮されていないという問題点がある。特許文献１〜特許文献３に開示された発明では、ＣＭなどがカットされた場合、チャプタの間隔が大きく狂う。チャプタの間隔が大きく狂うと、記録媒体への記録後、ユーザがあるシーンを頭出しして観たいと考えた場合などに、再生させたいシーンがどこにあるか分りにくくなる。
【０００９】
本発明は上述の問題点を解決するためになされたものであって、その目的は、チャプタの間隔が変動する頻度を低くすることにより、ユーザが再生させたいシーンがどこにあるか分りやすくする記録装置を提供することにある。
【課題を解決するための手段】
【００１０】
上記目的を達成するために、本発明のある局面に従うと、記録装置は、受信手段と、記録手段と、判断手段と、第１の制御手段と、第２の制御手段とを含む。受信手段は、放送信号を受信する。記録手段は、放送信号と放送信号を受信した期間の境界を表わす情報とを記録媒体に記録する。判断手段は、受信手段が受信中の放送信号が、音声多重放送の信号から音声多重放送以外の放送の信号へ変わったか否かを判断する。第１の制御手段は、受信手段が受信中の放送信号が、音声多重放送の信号から音声多重放送以外の放送の信号へ変わると、受信手段が音声多重放送の信号を受信した期間と受信手段が音声多重放送以外の放送の信号を受信した期間との境界を表わす情報を記録するように、記録手段を制御する。第２の制御手段は、受信手段が放送信号を受信した期間の、記録媒体へ最後に境界を表わす情報を記録した時からの長さが所定の長さになると、境界を表わす情報を記録するように、記録手段を制御する。
【００１１】
本発明の他の局面に従うと、記録装置は、受信手段と、記録手段と、判断手段と、記録手段を制御するための手段とを含む。受信手段は、放送信号を受信する。記録手段は、放送信号と放送信号を受信した期間の境界を表わす情報とを記録媒体に記録する。判断手段は、受信手段が受信中の放送信号が、音声多重放送の信号から音声多重放送以外の放送の信号へ変わったか否かを判断する。記録手段を制御するための手段は、受信手段が受信中の放送信号が、音声多重放送の信号から音声多重放送以外の放送の信号へ変わると、記録媒体へ、複数の境界を表わす情報を所定の規則に従って記録するように、記録手段を制御する。
【００１２】
また、上述の記録手段を制御するための手段は、受信手段が受信中の放送信号が、音声多重放送の信号から音声多重放送以外の放送の信号へ変わると、受信手段が音声多重放送の信号を受信した期間と受信手段が音声多重放送以外の放送の信号を受信した期間との境界を表わす情報を記録するように、記録手段を制御するための第１の制御手段と、記録媒体へ最後に境界を表わす情報を記録した時を起点とする、受信手段が放送信号を受信した期間の長さが、所定の規則に従う長さになると、境界を表わす情報を記録するように、記録手段を制御するための第２の制御手段とを含むことが望ましい。
【００１３】
また、上述の所定の規則は、長さが一定という規則を含むことが望ましい。
【発明の効果】
【００１４】
本発明に係る記録装置は、チャプタの間隔が変動する頻度を低くすることにより、ユーザが再生させたいシーンがどこにあるか分りやすくできる。
【発明を実施するための最良の形態】
【００１５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１６】
図１のハードディスクレコーダ１０は、２種類のデジタル記録メディア再生装置を内蔵し、記録メディアから再生されたコンテンツなど供給される各種コンテンツを、装置外部に予め接続されたモニタ装置１４に映像信号または音声信号として視聴可能なように出力する装置である。リモコン（リモートコントローラの略）１２は、ユーザが各種の指令を入力するために操作される装置であり、その指令に対応する赤外線信号を発信する。
【００１７】
ハードディスクレコーダ１０は、ＤＶＤ（Digital Versatile Disc）読取部２０と、ＨＤ（Hard Disk）装置２２と、放送局から送信されるデジタル放送信号を受信する外部のアンテナ６０を接続するチューナ２４と、ＯＳＤ（On Screen Display)５０を内蔵するデコーダ２６と、メモリ２８と、映像出力部３０と、音声出力部３２と、リモコン受信部３４と、制御部３６と、外部からデジタル情報を供給するための外部装置７０を接続する外部Ｉ／Ｆ（Inter Face）３８とを備える。
【００１８】
ＤＶＤ読取部２０は光ディスク（本実施の形態の場合ＤＶＤディスク）に記録されたデジタルコンテンツの情報を読出す装置である。本実施の形態の場合、ＤＶＤディスクには、任意の情報（本実施の形態の場合、デジタルコンテンツの情報）が記録されている。
【００１９】
ＨＤ装置２２は、ユーザ所望のデジタルコンテンツの信号をハードディスク４２に記録し、その記録したデジタルコンテンツの信号を読出す装置である。ここで、ハードディスク４２に記録される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００２０】
ＨＤ装置２２は、記録媒体（本実施の形態の場合ハードディスク４２）が記録した番組を構成する情報のいずれかを読出す読出しヘッド４４と、放送信号とチャプタ（放送信号を受信した期間の境界）を表わす情報とを記録媒体に記録する記録ヘッド４６とを含む。
【００２１】
チューナ２４は、アンテナ６０が放送局から発信されるデジタル放送信号を受信すると、制御部３６により指定されるチャンネルの放送信号（デジタルコンテンツの信号）を抽出して出力する。
【００２２】
デコーダ２６は、ＤＶＤ読取部２０により再生されたデジタルコンテンツの信号、ＨＤ装置２２が内蔵するハードディスク４２から読出されたデジタルコンテンツの信号、チューナ２４が抽出したデジタルコンテンツの信号および外部Ｉ／Ｆ３８を介して外部装置７０から入力されたデジタルコンテンツの信号のうちのいずれかが制御部３６の切換制御により与えられると、与えられたそのデジタル信号を受付け、復号（デコード）し、出力する。デコーダ２６が内蔵するＯＳＤ５０は制御部３６により与えられた情報に基づいて画像データを生成し、それをモニタ装置１４の画面に可視表示するために映像出力部３０に対して出力する。
【００２３】
メモリ２８には、チューナ２４が受信可能な放送チャンネルが予めチャンネルスキャン（オートスキャン）して取得されて格納され、また、制御部３６の動作プログラムが格納される。メモリ２８には、後述する情報の処理のためのフラグやデータも格納されている。
【００２４】
映像出力部３０は、読出しヘッド４４がハードディスク４２から読出し、かつデコーダ２６が復号した映像データを出力する装置である。映像出力部３０は、映像データをモニタ装置１４が出力可能な映像信号に変換した後、映像信号をモニタ装置１４に対して出力する。
【００２５】
音声出力部３２は、読出しヘッド４４がハードディスク４２から読出し、かつデコーダ２６が復号した音声データを出力する装置である。音声出力部３２は、音声データをモニタ装置１４が出力可能な音声信号に変換した後、音声信号をモニタ装置１４に対して出力する。
【００２６】
リモコン受信部３４は、赤外線を介してリモコン１２から発信される各種の指令信号を受信する。リモコン受信部３４は、受信した指令信号を制御部３６に伝送する。制御部３６は、メモリ２８に格納された動作プログラムに基づいて装置各部の制御を行なう。
【００２７】
図２を参照して、ハードディスクレコーダ１０で実行されるプログラムは、チャプタの設定に関し、以下のような制御を実行する。
【００２８】
ステップ１００（以下、ステップをＳと略す。）にて、制御部３６は、番組を録画する。すなわち、制御部３６は、チューナ２４を制御する。チューナ２４は、アンテナ６０が受信した放送信号から制御部３６の制御により定められた放送局の放送信号を選局する。チューナ２４により抽出された放送信号は、制御部３６に出力される。制御部３６は、チューナ２４が出力した放送信号をデコーダ２６に出力する。デコーダ２６は、制御部３６が出力した放送信号を、ＭＰＥＧ２規格に準拠する信号に変換する。デコーダ２６は、変換した信号をＨＤ装置２２に出力する。ＨＤ装置２２の記録ヘッド４６は、デコーダ２６が出力した変換後の放送信号を記録する。
【００２９】
Ｓ１０２にて、制御部３６は、自らが内蔵するタイマを参照することにより、前回のチャプタの設定から所定の時間（本実施の形態の場合「５分」とする）が経過したか否かを判断する。前回のチャプタの設定から所定の時間が経過したと判断した場合（Ｓ１０２にてＹＥＳ）、処理はＳ１０４へと移される。もしそうでないと（Ｓ１０２にてＮＯ）、処理はＳ１０６へと移される。
【００３０】
Ｓ１０４にて、制御部３６は、チャプタを設定する。チャプタを設定するために、制御部３６は、ＨＤ装置２２に対し、チャプタを表わす情報を記録するよう命じる旨の信号を出力する。ＨＤ装置２２の記録ヘッド４６は、記録媒体に対し、チャプタを表わす情報を記録する。これにより、制御部３６は、記録媒体へ最後に境界を表わす情報を記録した時を起点とする、アンテナ６０が放送信号を受信した期間の長さが、長さが一定という規則に従う長さになると、境界を表わす情報（本実施の形態の場合、「境界を表わす情報」とはチャプタを表わす情報のことである）を記録するように、ＨＤ装置２２の記録ヘッド４６を制御することとなる。すなわち、制御部３６は、アンテナ６０が放送信号を受信した期間の、記録媒体へ最後に境界を表わす情報を記録した時からの長さが所定の長さ（本実施の形態の場合「５分」とする）になると、境界を表わす情報を記録するように、ＨＤ装置２２の記録ヘッド４６を制御することとなる。
【００３１】
Ｓ１０６にて、制御部３６は、チューナ２４が出力した信号を解析することにより、アンテナ６０が受信中の放送信号が、音声多重放送の信号（本実施の形態の場合ステレオ放送の信号）から音声多重放送以外の放送の信号（本実施の形態の場合モノラル放送の信号）へ変わったか否かを判断する。これにより、制御部３６は、ＣＭが開始されたか否かを判断することとなる。ＣＭが開始されたと判断した場合（Ｓ１０６にてＹＥＳ）、処理はＳ１０８へと移される。もしそうでないと（Ｓ１０６にてＮＯ）、処理はＳ１１０へと移される。
【００３２】
Ｓ１０８にて、制御部３６は、放送信号を受信した期間について、分割の開始点を設定する。これにより、制御部３６は、アンテナ６０が受信中の放送信号が、ステレオ放送の信号からモノラル放送の信号へ変わると、アンテナ６０がステレオ放送の信号を受信した期間とアンテナ６０がモノラル放送の信号を受信した期間との境界を表わす情報を記録するように、記録ヘッド４６を制御することとなる。
【００３３】
Ｓ１１０にて、制御部３６は、チューナ２４が出力した信号を解析することにより、アンテナ６０が受信中の放送信号が、音声多重放送以外の放送の信号（本実施の形態の場合モノラル放送の信号）から音声多重放送の信号（本実施の形態の場合ステレオ放送の信号）へ変わったか否かを判断する。これにより、制御部３６は、ＣＭが終了したか否かを判断することとなる。ＣＭが終了したと判断した場合（Ｓ１１０にてＹＥＳ）、処理はＳ１１２へと移される。もしそうでないと（Ｓ１１０にてＮＯ）、処理はＳ１１４へと移される。
【００３４】
Ｓ１１２にて、制御部３６は、放送信号を受信した期間について、分割の終了点を設定する。Ｓ１１４にて、制御部３６は、記録ヘッド４６に引続き放送信号を記録させる。これにより、引続き番組が録画されることとなる。
【００３５】
Ｓ１１６にて、制御部３６は、録画を終了するか否かを判断する。録画を終了すると判断した場合（Ｓ１１６にてＹＥＳ）、処理は終了する。もしそうでないと（Ｓ１１６にてＮＯ）、処理はＳ１０２へと移される。
【００３６】
以上のような構造およびフローチャートに基づく、ハードディスクレコーダ１０の動作について説明する。
【００３７】
予め、制御部３６は、セットアップの際、リモコン受信部３４を介して、「自動チャプタ設定」を実施するか否かについて、ユーザの指示を受付けておく。本実施の形態の場合、「自動チャプタ設定」とは、番組の録画中、固定された時間（たとえは５分または１０分）ごとにチャプタが設定されることをいう。これにより、ユーザは、番組の再生時にリモコン１２のスキップボタンを押すと、所定の時間（本実施の形態において、この時間の長さは固定されていることとする）に相当する映像の再生を省略できる。制御部３６は、セットアップの際、リモコン受信部３４を介して、「音声多重連動設定」を実施するか否かについても、ユーザの指示を受付けておく。本実施の形態の場合、「音声多重連動設定」とは、番組の録画中、音声多重放送の有無に連動して、チャプタが設定されることをいう。これにより、制御部３６は、ＣＭの開始時および終了時にチャプタを設定できる。「自動チャプタ設定」を実施する旨の指示を受付けた場合、制御部３６は、メモリ２８に記憶されたフラグの値を、「自動チャプタ設定」を実施する旨を表わす値に更新する。「音声多重連動設定」を実施する旨の指示を受付けた場合、制御部３６は、メモリ２８に記憶されたフラグの値を、「音声多重連動設定」を実施する旨を表わす値に更新する。
【００３８】
セットアップが終了すると、制御部３６は、ＨＤ装置２２に番組を録画させる（Ｓ１００）。番組を録画させると、制御部３６は、前回のチャプタの設定から５分が経過したか否かを判断する（Ｓ１０２）。この場合、録画の開始直後なので（Ｓ１０２にてＮＯ）、制御部３６は、ＣＭが開始されたか否かを判断する（Ｓ１０６）。この場合、番組の本編が放送された後に録画を開始されたため、まだＣＭが開始されていないとすると（Ｓ１０６にてＮＯ）、制御部３６は、ＣＭが終了したか否かを判断する（Ｓ１１０）。まだＣＭが開始されていないので（Ｓ１１０にてＮＯ）、制御部３６は、引続き番組を録画させる（Ｓ１１４）。番組が録画されると、制御部３６は、録画を終了するか否かを判断する（Ｓ１１６）。この場合、まだ録画を終了しないので（Ｓ１１６にてＮＯ）、Ｓ１０２〜Ｓ１１６の処理が繰返される。その後、録画の開始（前回のチャプタの設定）から５分が経過するので（Ｓ１０２にてＹＥＳ）、制御部３６は、チャプタを設定する（Ｓ１０４）。本実施の形態の場合、チャプタを表わす信号は、ハードディスク４２の所定の領域に記録される。
【００３９】
図３は、ハードディスク４２における番組ファイルのフォーマットを表わす図である。番組ファイルのフォーマットは、リードイン領域と、データ領域とを含む。リードイン領域は、コンテンツに関連する情報や頭出しに必要な情報を信号として記録する領域である。データ領域は、コンテンツの映像を表わす信号を記録する領域である。本実施の形態の場合、アンテナ６０が受信した放送信号はデータ領域に記録される。リードイン領域は、ＴＯＣ（Table Of Contents）領域を含む。ＴＯＣ領域は、チャプタが設定される映像が記録されているアドレスの一覧を表わす信号を記録する領域である。ＴＯＣ領域に信号が記録されることにより、チャプタが設定される。
【００４０】
チャプタが設定されると、制御部３６は、ＣＭが開始されたか否かを判断する（Ｓ１０６）。当面ＣＭは開始されないので（Ｓ１０６にてＮＯ）、Ｓ１１０〜Ｓ１０６の処理が繰返される。その後、ＣＭが開始されると（Ｓ１０６にてＹＥＳ）、制御部３６は、放送信号を受信した期間について、分割の開始点を設定する（Ｓ１０８）。これにより、制御部３６は、アンテナ６０が受信中の放送信号が、音声多重放送の信号から音声多重放送以外の放送の信号へ変わると、ハードディスク４２へ、複数のチャプタを所定の規則に従って記録するように、記録ヘッド４６を制御することとなる。
【００４１】
分割の開始点が設定されると、制御部３６は、ＣＭが終了したか否かを判断する（Ｓ１１０）。当初ＣＭは終了しないので（Ｓ１１０にてＮＯ）、Ｓ１１４〜Ｓ１１０の処理が繰返される（この間、既にＣＭが開始されているため、「Ｓ１０６にてＮＯ」として、Ｓ１０８の処理は実施されない）。最終的にはＣＭが終了するので（Ｓ１１０にてＹＥＳ）、制御部３６は、放送信号を受信した期間について、分割の終了点を設定する（Ｓ１１２）。分割の終了点が設定されると、Ｓ１１４〜Ｓ１１０の処理が繰返される。最終的に、制御部３６は、録画を終了すると判断するので（Ｓ１１６にてＹＥＳ）、処理は終了する。
【００４２】
以上のようにして本実施の形態に係るハードディスクレコーダは、録画中、アンテナがモノラル放送の放送信号を受信した期間が所定の長さに達するとチャプタを設定する。図４は、本実施の形態に係るハードディスクレコーダにより記憶媒体に記録されたチャプタの間隔を表わす図である。図４において、破線は番組の本編とＣＭとの境界を表わす。図５は、時間の間隔を一定とするようにチャプタを設定する一方、ＣＭの開始時および終了時にチャプタを設定した場合の、チャプタの間隔を表わす図である。本実施の形態に係るハードディスクレコーダは、番組の本編におけるチャプタの間隔が変動する頻度を低くできる。チャプタの間隔が変動する頻度が低くなる（録画時、ＣＭが終了した時点から上述した「所定の時間」が経過した後に、次のチャプタが設定される）ので、録画後、ユーザが特定のシーンを頭出ししたいと考えた場合、どこに頭出ししたいシーンが記録されているか容易に特定できる。従来、特定のシーンを頭出しするためには、予めチャプタを設定すればよいと考えられていた。チャプタを設定する機能が実用化されたことにより、特定のシーンを頭出しするという課題は解決されたとみなされていた。しかしながら、このようにみなされたことで、最初に特定のシーンがどこに有るかを特定する方法については、何ら検討されていなかった。その方法が検討されていなかったので、ユーザはいったんコンテンツを録画し、視聴した後、改めてコンテンツを再度再生させ、チャプタを設定したいシーンを探さなければならなかった。上述したように、本実施の形態に係るハードディスクレコーダは、どこに頭出ししたいシーンが記録されているか容易に特定できる。その結果、チャプタの間隔が変動する頻度を低くすることにより、ユーザが再生させたいシーンがどこにあるか分りやすくできるハードディスクレコーダを提供することができる。さらに、本実施の形態に係るハードディスクレコーダは、ＣＭの終了時にチャプタが設定されるので、ユーザは、ＣＭの開始時にスキップボタンを押すと、複数のＣＭをすべて省略できる。従来のハードディスクレコーダは、ＣＭとは無関係に再生を省略できる（ＣＭがスキップされるとは限らない）に過ぎなかった。従来のハードディスクレコーダは、ＣＭスキップボタンを用いても、１つ程度のＣＭの再生（３０秒分の再生）を省略できるに過ぎなかった。本実施の形態に係るハードディスクレコーダにおいて、複数のＣＭを省略できることは、スキップボタンという付加機能を有効に使用できることを表わす。付加機能が有効に使用されると、ＣＭカット機能がないＤＶＤレコーダなどで録画した番組を再生する際、ＣＭスキップボタンがなくても、スムーズにＣＭをスキップさせることができる。
【００４３】
なお、Ｓ１０６における判断は、ステレオ放送とモノラル放送と間の判断に限定されない。たとえば、二ヶ国語放送と一ヶ国語放送と間の判断であってもよい。音声の放送とデータ放送と間の判断であってもよい。
【００４４】
また、Ｓ１０４における、アンテナ６０が放送信号を受信した期間の長さが従う規則は、長さが一定という規則に限定されない。たとえば、アンテナ６０が放送信号を受信した期間の長さが従う規則は、一定の周期で変動するという規則であってもよい。アンテナ６０が放送信号を受信した期間の長さが従う規則は、一定の比率で増加するという規則であってもよい。アンテナ６０が放送信号を受信した期間の長さが従う規則は、一定の比率で減少するという規則であってもよい。アンテナ６０が放送信号を受信した期間の長さが所定の規則に従う場合、制御部３６は、記録媒体へ最後に境界を表わす情報を記録した時を起点とする、アンテナ６０が放送信号を受信した期間の長さが、所定の規則に従う長さになると、境界を表わす情報を記録するように、ＨＤ装置２２の記録ヘッド４６を制御することとなる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４６】
【図１】本発明の実施の形態に係るハードディスクレコーダの制御ブロック図である。
【図２】本発明の実施の形態に係るチャプタの設定処理の制御の手順を示すフローチャートである。
【図３】本発明の実施の形態に係る番組ファイルのフォーマットを表わす図である。
【図４】本発明の実施の形態に係るハードディスクレコーダが設定したチャプタの間隔を表わす図である。
【図５】一定の間隔でチャプタを設定する一方ＣＭの開始時および終了時にチャプタを設定した場合のチャプタの間隔を表わす図である。
【符号の説明】
【００４７】
１０  ハードディスクレコーダ、１２  リモコン、１４  モニタ装置、２０  ＤＶＤ読取部、２２  ＨＤ装置、２４  チューナ、２６  デコーダ、２８  メモリ、３０  映像出力部、３２  音声出力部、３４  リモコン受信部、３６  制御部、３８  外部Ｉ／Ｆ、４２  ハードディスク、４４  読出しヘッド、４６  記録ヘッド、５０  ＯＳＤ、６０  アンテナ、７０  外部装置。
【図１】
2006294192.tif 000003
【図２】
2006294192.tif 000004
【図３】
2006294192.tif 000005
【図４】
2006294192.tif 000006
【図５】
2006294192.tif 000007